(57)【要約】【課題】  本考案は電子モジュールを安定して必要な温度に制御する一種の検出電気コネクタが得られるようにすることを目的とする。【解決手段】  本考案は電子モジュールが安定して必要な温度に制御されるということを実現することができる検出電気コネクタに関し、検出電気コネクタは、電子モジュールが収容される第１スペースを開設するベースと、該ベースに収容される複数の導電端子と、を備える。該ベースの少なくとも一つの側辺には、前記電子モジュールの近傍に位置するセンサーを収容する収容孔が設けられる支持部を含む。【選択図】図１
0003109633.tif 000002
【実用新案登録請求の範囲】
【請求項１】
検出電気コネクタにおいて、該コネクタは、
電子モジュールが収容されるスペースを開設するベースと、
該ベースに収容される複数の導電端子と、を備え、
前記ベースの少なくとも一つの側辺には、前記電子モジュールの近傍に位置するセンサーを収容する収容孔が設けられる支持部を有することを特徴とする検出電気コネクタ。
【請求項２】
前記検出電気コネクタは、ベースに取り付けられ、移動可能な移動部と、駆動部と、カバーとを備えることを特徴とする請求項１に記載の検出電気コネクタ。
【請求項３】
前記ベースとカバーの間に、少なくとも一つのバネ体が設けられることを特徴とする２に記載の検出電気コネクタ。
【請求項４】
前記バネ体は、一端がベースに収容され、他の一端が、カバーの底部に位置することを特徴とする請求項３に記載の検出電気コネクタ。
【請求項５】
前記バネ体は、コイルバネであることを特徴とする請求項４に記載の検出電気コネクタ。
【請求項６】
前記ベースの一対の対向する側辺には、支持部が設置されることを特徴とする請求項１或いは４或いは５に記載の検出電気コネクタ。
【請求項７】
前記支持部の頂部には、頂部の可撓性を高めるスリットが開設されることを特徴とする請求項６に記載の検出電気コネクタ。
【請求項８】
前記支持部は、一端がスペースに延設し、他の一端が外側に伸びることを特徴とする請求項７に記載の検出電気コネクタ。
【考案の詳細な説明】
【技術分野】
【０００１】
本考案は検出電気コネクタに関し、特に電子モジュールが回路基板に電気的に接続される検出電気コネクタに関する。
【背景技術】
【０００２】
電子モジュールは、使用されるのに先だって、検出されることが必要である。電子工業における検出電気コネクタは通常、電子モジュールを検出することに用いられている。欠陥を有する電子モジュールが高い温度、長い時間のもとで操作されるとしたら、損耗されるとともに、淘汰される。
【０００３】
一種の検出電気コネクタは、導電端子を有するベースと、導電端子に電気接続される電子モジュールと、カバーと、を備える。電子モジュールを検出するためのセンサーは、カバーに取り付けられ、制御装置に電気的に接続されて、信号を供給する。制御装置は、供給される信号によって、電子モジュールの温度を制御できる。そして、電子モジュールが、温度が高過ぎることによって、損耗しやすいことを妨げる。そのような電気コネクタの構造は特許文献１に記載されている。
【０００４】
ところが、該検出電気コネクタでは、センサーが、電子回路モジュールから遠い位置に設けられるカバーに搭載される。そして、センサーで検出される温度は、電子モジュールの実際の温度より高いかもしれない。電子回路モジュールは、必要な温度より低い温度のもとで操作されたら、必ずしも、充分に損耗されなくなる。
【０００５】
従って、本考案は前記の欠点を克服するために一種の新たな検出電気コネクタを設計する。
【特許文献１】米国特許第５，１７２，０４９号明細書
【考案の開示】
【考案が解決しようとする課題】
【０００６】
本考案の目的は、このような従来の問題点を解決した検出電気コネクタを提供することである。すなわち、従来の技術と違って、電子モジュールが安定して必要な温度に制御される検出電気コネクタが得られるようにする。
【課題を解決するための手段】
【０００７】
本考案は電子モジュールが安定して必要な温度に制御されるということを実現することができる検出電気コネクタに関し、該検出電気コネクタは、電子モジュールが収容される第１スペースを開設するベースと、該ベースに収容される複数の導電端子と、を備える。該ベースの少なくとも一つの側辺には、前記電子モジュールの近傍に位置するセンサーを収容する収容孔が設けられる支持部を含む。
【考案の効果】
【０００８】
従来の技術に比べると、本発明は以下の長所がある。電子モジュールが検出されている過程で、センサーは、支持部の収容孔に収容されることによって、電子モジュールの近傍に位置するとともに、制御装置に電気的に接続される。そして、該制御装置は、センサーから供給される信号によって、電子モジュールの温度を正確に制御することが確保できる。
【考案を実施するための最良の形態】
【０００９】
図１に示すように、本発明の検出電気コネクタ１は、ベース１０と、移動部２０と、駆動部３０と、カバー４０と、を備える。
【００１０】
前記ベース１０は、回路基板（図示せず）に取り付けられる。該矩形のベース１０は、前辺１４と、後辺１５と、一対の側辺１３と、それらで囲まれる第１スペース１２と、を備える。該第１スペース１２の中で、矩形の第１凹み１２０が開設される。該第１凹み１２０の周囲には、ベース１２を貫通する四つのスロット１２１と、該スロット１２１の外側に位置する狭槽１２２と、が開設される。該矩形のベース１０の角部には、四つの定位柱１１が上方へ突出する。各定位柱１１のそばに、一つのバネ体１６が上向きに延設される。バネ体１６は、コイルバネである。各側辺１３の前端と後端には、第１Ｕ型部１３１と第２Ｕ型部１３２とを含む第１保持部１３０と、輪形の第２保持部１３３とが設置される。第１、第２保持部１３０、１３３の間には、第１開口１３４が、第１スペース１２に向けて開設される。前辺１４と後辺１５には、第１スペース１２に入るように設置される段階部１４０と、一端が第１スペース１２に延接し、他の一端が外側に伸びる支持部１４１が設置される。該支持部１４１には、センサー５０を収容するための収容孔１４５と、頂部に設けられ、頂部の可撓性を高めるスリット１４４とが開設される。
【００１１】
第１スペース１２に収容される矩形の移動部２０は、第２スペース２１を含む。該第２スペース２１は、中央に開設される矩形の第２凹み２２と、隅に設置され、第２スペース２１を貫通し、スロット１２１に対応するスロット２２０と、を備える。移動部２０は、後辺から上方へ突出し、下向きの収容槽２５０を含む突出体２５と、各側辺に設けられ、尾部２３０が下方へ延伸する一対の突塊２３と、延伸部２４０を含み、前辺から前方へ伸びる舌片２４と、を備える。前辺と後辺に、段階部１４０に対応する一対の第２開口２６が、対称に開設される。
【００１２】
駆動部３０は、固定部３２と、ピン３３と、該ピン３３によって、固定部３２に可動的に取り付けられる結合部３１と、を備える。Ｔ字のように設置される固定部３２の頂部の両端には、一対の第１孔３２２が開設される。ほぼん字のような結合部３１の両端に設けられる第１軸３４、第２軸３５は、それぞれ同じ方向に伸びる短部３４０、３５０と、長部３４１、３５１とを含む。
【００１３】
矩形のカバー４０は、中央に開設される方孔４３と、該方孔４３の両側に配列される第２孔４２と、カバー４０の四角から下向きに突伸し、定位柱１１に係合する係合部４１と、を備える。
【００１４】
図1、図２に示すように、検出電気コネクタ１が取り付けられる時、まず、駆動部３０が、ベース１０に固定される。第２軸３５と、第１軸３４は、それぞれ対応する第１保持部１３０と、第２保持部１３３に係合する。第２軸３５の端部が第１Ｕ型部１３１と第２Ｕ型部１３２の間に挟まれ、長部３５１と、短部３５０が、別々に第１Ｕ型部１３１、第２Ｕ型部１３２に挿入される。第１軸３４の短部３４０が、第２保持部１３３を貫通し、長部３４１が第１スペース１２の上表面に搭載される。
【００１５】
図３に示すように、次に、移動部２０は、駆動部３０が装着されるベース１０に装入される。突塊２３の尾部２３０が対応する狭槽１２２に嵌め込まれる。第１軸３４の長部３４１が、突出体２５の収容槽２５０に収容される。ベース１０の段階部１４０は、移動部２０の第２開口２６に嵌入される。
【００１６】
図４において、最後、カバー４０は、ネジが第１孔３２２と第２孔４２に貫通することによって、駆動部３０に取り付けられる。コイルバネ１６は完全自由状態になる。センサー５０は、支持部１４１の収容孔１４５に収容される。
【００１７】
使用される時、電子モジュール（図示せず）が移動部２０に取り付けられる。電子モジュールは、移動部２０の突塊２３と、延伸部２４０と、突出体２５とで定位され、端子の末端がスロット２２０に挿入される。カバー４０が押圧される時、コイルバネ１６が縮むのにしたがって、係合部４１は、定位柱１１に係合する。同時に、駆動部の端部が第１保持部１３０によって固定されることから、第２軸３５は、長部３５１が駆動され、且つ電子モジュールを装着する移動部２０といっしょに、後方へ移動する。係合部４１が、定位柱１１から外れると、コイルバネ１６が自由状態に回復し、カバー４０と、結合部３１と、第２軸３５と、電子モジュールが装着される移動部２０とが、いっしょに始めの状態に回復される。その過程で、検出電気コネクタ１と電子モジュールは、高い温度で操作したところ、欠陥を有する電子モジュールを消耗できる。又、センサー５０は、制御装置（図示せず）に電気接続され、信号を供給する。制御装置は、センサー５０が供給する信号によって、電子モジュールの温度を正確に制御できる。温度が高過ぎることによって、電子モジュールが損壊されることを防止できる。その過程が繰り返されると、新しい電子モジュールが、検出電気コネクタに取り付けられる。
【００１８】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【産業上の利用可能性】
【００１９】
本考案は検出電気コネクタに関し、特に電子モジュールが安定に必要な温度に制御される検出電気コネクタに関する。
【図面の簡単な説明】
【００２０】
【図１】本考案の検出電気コネクタの分解斜視図である。
【図２】本考案の図１におる検出電気コネクタのベースと駆動部の部分組合図である。
【図３】本考案の図１におる検出電気コネクタのベースと駆動部と移動部の部分組合図である。
【図４】本考案の検出電気コネクタのの立体組合図である。
【符号の説明】
【００２１】
１  検出電気コネクタ
１０  ベース
１１  定位柱
１２  第１スペース
１３  側辺
１４  前辺
１５  後辺
１６  コイルバネ
２０  移動部
２１  第２スペース
２２  第２凹み
２３  突塊
２４  舌片
２５  突出体
２６  第２開口
３０  駆動部
３１  結合部
３２  固定部
３３  ピン
３４  第１軸
３５  第２軸
４０  カバー
４１  係合部
４２  第２孔
４３  方孔
５０  センサー
１２０  第１凹み
１２１、２２０  スロット
１２２  狭槽
１３０  第１保持部
１３１  第１Ｕ型部
１３２  第２Ｕ型部
１３３  第２保持部
１３４  第１開口
１４０  段階部
１４１  支持部
１４４  スリット
１４５  収容孔
２３０  尾部
２４０  延伸部
２５０  収容槽
３２２  第１孔
３４０、３５０  短部
３４１、３５１  長部
【図１】
0003109633.tif 000003
【図２】
0003109633.tif 000004
【図３】
0003109633.tif 000005
【図４】
0003109633.tif 000006